(57)【要約】【課題】携帯音響機器の出力音声信号の再生をヘッドホンにより再生するときとスピーカで再生するときとで音量を調整しなおす必要がないようにすることを目的とする。【解決手段】ヘッドホンで再生するようにした携帯音響機器１と、携帯音響機器収納部３を有すると共にこの携帯音響機器収納部３の側部にスピーカ４Ｌ，４Ｒを設けたスピーカ装置２とより成り、この携帯音響機器１をこのスピーカ装置２のこの携帯音響機器収納部３に収納したときに、この携帯音響機器１の出力音声信号をこのスピーカ４Ｌ，４Ｒにより再生できるようにした音響システムにおいて、このヘッドホンによる再生時の音量とこのスピーカ４Ｌ，４Ｒによる音量とを個別に設定できるようにしたものである。【選択図】        図１
2004229241.tif 000002
【特許請求の範囲】
【請求項１】
ヘッドホンで再生するようにした携帯音響機器と、
携帯音響機器収納部を有すると共に該携帯音響機器収納部の側部にスピーカを設けたスピーカ装置とより成り、前記携帯音響機器を前記スピーカ装置の前記携帯音響機器収納部に収納したときに前記携帯音響機器の出力音声信号を前記スピーカにより再生できるようにした音響システムにおいて、
前記ヘッドホンによる再生時の音量と前記スピーカによる再生時の音量とを個別に設定できるようにしたことを特徴とする音響システム。
【請求項２】
ヘッドホンで再生するようにした携帯音響機器と、
携帯音響機器収納部を有すると共に該携帯音響機器収納部の側部にスピーカを設けたスピーカ装置とより成り、前記携帯音響機器を前記スピーカ装置の前記携帯音響機器収納部に収納したときに前記携帯音響機器の出力音声信号を前記スピーカにより再生できるようにした音響システムにおいて、
前記スピーカ装置に２系統の電力増幅回路を設け、電源として電池使用時と、ＡＣパワーアダプタを介して商用電源使用時とで切換使用するようにしたことを特徴とする音響システム。
【発明の詳細な説明】
【０００１】
【発明の属する技術分野】
本発明はヘッドホンで再生するようにした携帯音響機器と、携帯音響機器収納部を有すると共にこの携帯音響機器収納部の側部にスピーカを設けたスピーカ装置とより成り、この携帯音響機器をこのスピーカ装置のこの携帯音響機器収納部に収納したときにこの携帯音響機器の出力音声信号をこのスピーカにより再生できるようにした音響システムに関する。
【０００２】
【従来の技術】
先にヘッドホンで再生するようにした携帯音響機器例えばミニディスクプレーヤと、携帯音響機器収納部を有すると共にこの携帯音響機器収納部の側部にスピーカを設けたスピーカ装置とより成り、この携帯音響機器例えばミニディスクプレーヤをこのスピーカ装置のこの携帯音響機器収納部に収納したときにこの携帯音響機器の出力音声信号をこのスピーカにより再生できるようにした音響システムが提案されている。
【０００３】
【発明が解決しようとする課題】
斯る音響システムにおいて、携帯音響機器例えばミニディスクプレーヤにおいてヘッドホンで再生を行った後に、この携帯音響機器例えばミニディスクプレーヤをこのスピーカ装置の携帯音響機器収納部に収納し、この携帯音響機器の出力音声信号をスピーカによた再生したときには、スピーカ再生の音量はこの携帯音響機器のヘッドホンによる再生時の音量となるので、たいていの場合音量が小さすぎる（例えば音量切換段階が３１段階あるときの１２段階程度）ために、音量を大きく（例えば音量切換段階が３１段階あるときの３０段階程度）する必要があった。
【０００４】
また逆に携帯音響機器をスピーカ装置の携帯音響機器収納部に収納し、その出力音声信号をスピーカにより再生した後にヘッドホンにより再生するようにしたときには、スピーカにより再生していたときの音量となり、たいていの場合、音量が大きすぎ、音量を小さくする必要があった。
【０００５】
この場合音量を小さくすることなく、ヘッドホンにより再生したときには、音量が大きすぎて、耳を痛める等の不都合を生じるおそれがあった。
【０００６】
本発明は斯る点に鑑み、この携帯音響機器の出力音声信号の再生をヘッドホンにより再生するときとスピーカで再生するときとで音量を調整しなおす必要がないようにすることを目的とする。
【０００７】
【課題を解決するための手段】
本発明音響システムはヘッドホンで再生するようにした携帯音響機器と、携帯音響機器収納部を有すると共にこの携帯音響機器収納部の側部にスピーカを設けたスピーカ装置とより成り、この携帯音響機器をこのスピーカ装置のこの携帯音響機器収納部に収納したときにこの携帯音響機器の出力音声信号をこのスピーカにより再生できるようにした音響システムにおいて、このヘッドホンによる再生時の音量とこのスピーカによる再生時の音量とを個別に設定できるようにしたものである。
【０００８】
斯る本発明によれば、携帯音響機器の出力音声信号をヘッドホンによる再生時の音量とスピーカによる再生時の音量とを個別に設定できるようにしたので、携帯音響機器の出力音声信号のヘッドホンによる再生時とスピーカによる再生時とで音量を調整する必要がなく使い勝手が良くなる。
【０００９】
また本発明音響システムはヘッドホンで再生するようにした携帯音響機器と、携帯音響機器収納部を有すると共にこの携帯音響機器収納部の側部にスピーカを設けたスピーカ装置とより成り、この携帯音響機器をこのスピーカ装置の携帯音響機器収納部に収納したときにこの携帯音響機器の出力音声信号をこのスピーカにより再生できるようにした音響システムにおいて、このスピーカ装置に２系統の電力増幅回路を設け、電源として電池使用時とＡＣパワーアダプタを介して商用電源使用時とで切換使用するようにしたものである。
【００１０】
斯る本発明によれば２系統の電力増幅回路を設けたので商用電源使用時に電源電圧の高い電力増幅回路を使用でき高音質とすることができると共に電池使用時に電源電圧の低い電力増幅回路を使用し、より長時間使用できるようにすることができる。
【００１１】
【発明の実施の形態】
以下図面を参照しながら、本発明音響システムの実施の形態の例につき説明する。
【００１２】
図３、図４、図５、図６において、１は例えばミニディスクプレーヤ等の携帯音響機器を示し、この携帯音響機器１は出力音声信号をヘッドホンにて再生できる如くなされたものである。
【００１３】
２は本例による音響システムのスピーカ装置を示し、本例によるスピーカ装置２は図５に示す如く、中央部に携帯音響機器１を収納する携帯音響機器収納部３を有し、この携帯音響機器収納部３の左右側部にスピーカ４Ｌ及び４Ｒを設ける。
【００１４】
またこのスピーカ装置２においては図６に示す如く、この携帯音響機器収納部３及びスピーカ４Ｌ，４Ｒを覆う蓋体５を設ける。このスピーカ装置２はこの携帯音響機器収納部３に携帯音響機器１を収納した図４に示す如き状態で蓋体５により蓋を締めることができるので鞄等に入れて持ち運ぶ際、この携帯音響機器１の操作ボタン等が表面に出ることがなく、鞄の中で誤って意図しない操作ボタンを操作することがなく、誤動作することがなく、且つこの携帯音響機器１及びスピーカ４Ｌ，４Ｒを傷つけることもない。
【００１５】
またこの蓋体１を開いたときに図３、図４、図５に示す如く、この蓋体１がこのスピーカ装置２のスタンドとしての脚となり、このスピーカ装置２の全体を支える如くする。
【００１６】
また、スピーカ装置２の携帯音響機器収納部３及び携帯音響機器１に夫々所定の接点を有するコネクタ６を設け、この携帯音響機器１をスピーカ装置２の携帯音響機器収納部３に収納したときにこの所定の接点が接続される如くなす。
【００１７】
本例においては、この携帯音響機器１がスピーカ装置２の携帯音響機器収納部３に収納されたときは図１に示す如き接続関係となる。この場合スピーカ装置２の９はスピーカ装置２のオン・オフ、サラウンドを切換える切換スイッチを示し、この切換スイッチ９の接点９ａ及び９ｂが、携帯音響機器１のマイクロコンピュータ１０と接続され、この接点９ａ及び９ｂが共にハイレベル“１”のときはスピーカ装置２がオフで、接点９ａがローレベル“０”になったときはオン、共にローレベル“０”になったときはサラウンドである。
【００１８】
携帯音響機器例えばミニディスクプレーヤ１は例えばマイクロコンピュータ１０、デジタルシグナルプロセッサ（ＤＳＰ）１１、デジタル−アナログ変換器（ＤＡＣ）１２等より構成する。
【００１９】
この携帯音響機器１は例えばミニディスクよりの再生音をマイクロコンピュータ１０の制御に従ってデジタル−アナログ変換器１２より出力音声信号としてヘッドホン用アンプ１４及びスピーカ用アンプ１５に出力する如くする。
【００２０】
この場合、マイクロコンピュータ１０はヘッドホンで再生するときはスピーカ用アンプ１５をミュートする如くすると共にスピーカ４Ｌ，４Ｒで再生するときにはこのヘッドホン用アンプ１４をミュートする如くする。
【００２１】
また本例においては、マイクロコンピュータ１０においてはヘッドホンによる再生時の音量とスピーカ４Ｌ，４Ｒによる再生時の音量とを個別に設定できる如くする。
【００２２】
即ち本例においてはヘッドホンによる再生であるのかスピーカ４Ｌ，４Ｒによる再生なのかをスピーカ装置２の切換スイッチ９よりの信号により判別するようにし、ヘッドホンによる再生の最後の音量の設定・調整を一のメモリに記憶し、スピーカ４Ｌ，４Ｒによる再生の最後の音量の設定・調整を他のメモリに記憶し、ヘッドホン再生がスピーカ再生かで一のメモリが他のメモリかを選択する如くする。
【００２３】
斯る本例によれば、携帯音響機器１をスピーカ装置２の携帯音響機器収納部３に収納し、スピーカ４Ｌ，４Ｒにより出力音声信号を再生するときはヘッドホン再生時の最後の音量をマイクロコンピュータ１０の一のメモリに記憶する。
【００２４】
この為携帯音響機器１とスピーカ装置２との電気的接続を絶ち、ヘッドホン再生を行っても、最後のヘッドホン再生時の音量を一のメモリが記憶しているので、その音量でヘッドホン再生を行うことができる。この場合デジタル−アナログ変換器１２の出力はヘッドホン用の音量の音声信号が出力されるがスピーカ用アンプ１５はミュートされる如く成される。
【００２５】
従ってわざわざ音量の再設定をする必要がなく、使い勝手が良くなり、また音量が大きすぎず、耳を痛めることもない。
【００２６】
また携帯音響機器１をスピーカ装置２の携帯音響機器収納部３に収納してスピーカ４Ｌ，４Ｒにより再生を行った後、この携帯音響機器１とスピーカ装置２との電気的な接続を絶つときは、このスピーカ再生時の最後の音量を他のメモリに記憶する。
【００２７】
この為ヘッドホンより再生した後、この携帯音響機器１をスピーカ装置２の携帯音響機器収納部３に収納し、スピーカ４Ｌ，４Ｒにより再生するようにしても、このスピーカ再生の最後の音量を他のメモリに記憶しているので、その音量でスピーカ再生を行うことができ、わざわざ音量の再設定をする必要がない。この場合、デジタル−アナログ変換器１２の出力側にスピーカ再生側の音量の出力音声信号が得られるがヘッドホン用アンプ１４はミュートされる如くなされる。
【００２８】
また、本例による携帯音響機器１はデジタル−アナログ変換器１２よりスピーカ用の出力音声信号を出力するときにはマイクロコンピュータ１０に記憶されたイコライザ制御信号をデジタルシグナルプロセッサ１１に送り、このデジタルシグナルプロセッサ１１で、この出力音声信号を所定のイコライズする如くする。
【００２９】
このイコライザは例えば低域の音声を出力しにくいスピーカ４Ｌ，４Ｒを使用していても、出力前に低域を増強してから出力するので、従来技術に比較して低域の音声の出力に優れたものとなる。音質を向上することができる。
【００３０】
また、本例による携帯音響機器１は、スピーカ装置２の切換スイッチ９によりサラウンドを選択することによりマイクロコンピュータ１０がデジタルシグナルプロセッサ１１にサラウンドを指示し、このデジタルシグナルプロセッサ１１の作用によりデジタル−アナログ変換器１２よりの出力音声信号にサラウンド効果を持たせることができる。
【００３１】
本例のスピーカ４Ｌ及び４Ｒはステレオスピーカなので、スピーカ４Ｌ及び４Ｒから出力される音声に電気的な補正（右の音声と左の音声の位相をずらす等）を行い、サラウンド感を出すことができる。
【００３２】
次に、図２を参照してスピーカ装置２の例につき説明する。このスピーカ装置２は２系統の電力増幅回路２２及び２３を設け、商用電源使用時に電源電圧を上げ電池使用時よりも高音質とするようにしたものである。この図２において、２０Ｌ及び２０Ｒは携帯音響機器１のデジタル−アナログ変換器１２よりの左及び右出力音声信号が供給される左及び右音声信号入力端子を示す。
【００３３】
この左音声信号入力端子２０Ｌに供給される左音声信号をアッテネータ２１に供給し、このアッテネータ２１の出力側に得られる左音声信号を１．５Ｖ系の電力増幅回路２２Ｌを介してスイッチ回路２４に供給すると共にこのアッテネータ２１の出力側に得られる左音声信号を３Ｖ系の電力増幅回路２３Ｌを介してスイッチ回路２４に供給する。
【００３４】
また右音声信号入力端子２０Ｒに供給される右音声信号をアッテネータ２１に供給し、このアッテネータ２１の出力側に得られる右音声信号を１．５Ｖ系の電力増幅回路２２Ｒを介してスイッチ回路２５に供給すると共にこのアッテネータ２１の出力側に得られる右音声信号を３Ｖ系の電力増幅回路２３Ｒを介してスイッチ回路２５に供給する。
【００３５】
このスイッチ回路２４の出力側に得られる左音声信号を左スピーカ４Ｌに供給すると共にこのスイッチ回路２５の出力側に得られる右音声信号を右スピーカ４Ｒに供給する如くする。
【００３６】
このスイッチ回路２４，２５は、携帯音声機器１がヘッドホンを使用して再生するときにマイクロコンピュータ１０よりのミュート信号によりミュート回路２６によりミュートし、スピーカ４Ｌ，４Ｒより放音しない如くする。
【００３７】
また図１において、２７はＡＣパワーアダプタを示し、このＡＣパワーアダプタ２７に電源プラグ２８を介して商用電源を供給すると共にこのＡＣパワーアダプタ２７の出力側に３Ｖの直流電圧を得る如くする。このＡＣパワーアダプタ２７の出力側に得られる３Ｖの直流電圧をＤＣジャックを介して、このスピーカ装置２の電源入力部２９に供給する如くする。
【００３８】
このスピーカ装置２の電源入力部２９の出力側に３Ｖの直流電圧が得られたかどうかをマイクロコンピュータ１０が判断しており、この電源入力部２９の出力側に３Ｖの直流電圧が得られないときには、マイクロコンピュータ１０の指示によりパワースイッチ３０をオンとし、携帯音響機器１よりの２次電池３１よりの１．５Ｖの直流電圧をこのパワースイッチ３０を介して１．５Ｖ系の電力増幅回路２２Ｌ及び２２Ｒに電源として供給し、この１．５Ｖ系の電力増幅回路２２Ｌ及び２２Ｒが動作し、このときはマイクロコンピュータ１０よりのミュート信号がミュートスイッチ３２に供給され３Ｖ系の電力増幅回路２３Ｌ及び２３Ｒが不動作とされる。
【００３９】
また電源入力部２９の出力側に３Ｖの直流電圧が得られたときは、マイクロコンピュータ１０の指示によりパワースイッチ３０をオフとし、携帯音響機器１よりの２次電池３１よりの１．５Ｖの直流電圧をオフとし、この１．５Ｖ系の電力増幅回路２２Ｌ及び２２Ｒを不動作とすると共にマイクロコンピュータ１０の指示によりミュートスイッチ３２のミュートを解除し、電源入力部２９の３Ｖの直流電圧を電源入力端子２９ａを介して３Ｖ系の電力増幅回路２３Ｌ及び２３Ｒに電源として供給し、この３Ｖ系の電力増幅回路２３Ｌ及び２３Ｒを動作状態とする。
【００４０】
また、本例においては図１に示す如く電源入力部２９の出力側に３Ｖの直流電圧が得られているときには、この３Ｖの直流電圧を充電制御部３３に供給し、この充電制御部３３によりこの携帯音響機器１の２次電池３１を充電する如くする。
【００４１】
以上述べた如く本例によれば携帯音響機器１の出力音声信号をヘッドホンによる再生時の音量をスピーカ４Ｌ，４Ｒによる再生時の音量とを個別に設定できるようにしたので、携帯音響機器の出力音声信号のヘッドホンによる再生時とスピーカ４Ｌ，４Ｒによる再生時とで音量を調整しなおす必要がなく使い勝手が良い。
【００４２】
また本例によれば、スピーカ装置２に電源電圧の異なる２系統の電力増幅回路２２及び２３を設け、商用電源使用時は電源電圧の高い電力増幅回路２３を使用して高音質を得ることができ、また電池使用時は電源電圧の低い電力増幅回路２２を使用し、より長時間使用することができる。
【００４３】
尚、本発明は上述例に限ることなく本発明の要旨を逸脱することなく、その他種々の構成が採り得ることは勿論である。
【００４４】
【発明の効果】
本発明によれば携帯音響機器の出力音声信号をヘッドホンによる再生時の音量とスピーカによる再生時の音量とを個別に設定できるようにしたので、携帯音響機器の出力音声信号のヘッドホンによる再生時とスピーカによる再生時とで音量を調整しなおす必要がなく使い勝手が良い。
【００４５】
また本発明によれば、スピーカ装置に電源電圧の異なる２系統の電力増幅回路を設け、商用電源使用時は電源電圧の高い電力増幅回路を使用して高音質を得ることができると共に電池使用時は電源電圧の低い電力増幅回路を使用し、このスピーカ装置（電池）をより長時間使用することができる。
【図面の簡単な説明】
【図１】本発明音響システムの実施の形態の例を示す構成図である。
【図２】本発明の要部のスピーカ装置の例を示す構成図である。
【図３】本発明による音響システムの例のスピーカ装置の携帯音響機器収納部に携帯音響機器を収納する例を示す斜視図である。
【図４】本発明音響システムの実施の形態の例を示す斜視図である。
【図５】本発明の要部のスピーカ装置の例を示す斜視図である。
【図６】本発明音響システムの実施の形態の例の蓋体を締めた例を示す斜視図である。
【符号の説明】
１‥‥携帯音響機器、２‥‥スピーカ装置、３‥‥携帯音響機器収納部、４Ｌ，４Ｒ‥‥スピーカ、５‥‥蓋体、９‥‥切換スイッチ、１０‥‥マイクロコンピュータ、１１‥‥デジタルシグナルプロセッサ、１２‥‥デジタル−アナログ変換器、１４‥‥ヘッドホン用アンプ、１５‥‥スピーカ用アンプ、２０Ｌ‥‥左音声信号入力端子、２０Ｒ‥‥右音声信号入力端子、２２，２２Ｌ，２２Ｒ‥‥１．５Ｖ系電力増幅回路、２３，２３Ｌ，２３Ｒ‥‥３Ｖ系電力増幅回路、２７‥‥ＡＣパワーアダプタ、２８‥‥プラグ、２９‥‥電源入力部、３１‥‥２次電池、３３‥‥充電制御部
【図１】
2004229241.tif 000003
【図２】
2004229241.tif 000004
【図３】
2004229241.tif 000005
【図４】
2004229241.tif 000006
【図５】
2004229241.tif 000007
【図６】
2004229241.tif 000008